(57)【要約】【課題】単一の放電電極を用いるものにあって、微小な孔の周囲のエリアでイオンを生成させることによって、印字画像を構成する個々のドットを小さく、かつ略真円状にし、加熱手段に対する低い印加エネルギーで、鮮明な画像の印字が可能な加熱放電型のイオンフロー記録ヘッドを提供する。【解決手段】絶縁層１５の表面側に配設された放電電極５ａと、前記絶縁層１５の裏面側に配設された発熱素子１４とを備え、前記放電電極５ａへの放電制御電圧の印加と発熱素子１４による加熱とにより生ずる前記放電電極５ａの放電の有無を、前記発熱素子１４による前記放電電極５ａの各被加熱部位１６に対する選択的加熱により制御する加熱放電型のイオンフロー記録ヘッドにあって、前記放電電極５ａの各被加熱部位１６に、該放電電極５ａの表面側に角部１８を備えた幅１０〜１２０μｍのイオン発生孔１７を夫々形成した。【選択図】図２
2009119670.tif 000002
【特許請求の範囲】
【請求項１】
絶縁層の表面側に配設された放電電極と、前記絶縁層の裏面側に配設された発熱素子とを備え、前記放電電極への放電制御電圧の印加と発熱素子による加熱とにより生ずる前記放電電極の放電の有無を、前記発熱素子による前記放電電極の各被加熱部位に対する選択的加熱により制御する加熱放電型のイオンフロー記録ヘッドにおいて、
前記放電電極の各被加熱部位に、該放電電極の表面側に角部を備えた幅１０〜１２０μｍのイオン発生孔が夫々形成されていることを特徴とするイオンフロー記録ヘッド。
【請求項２】
イオン発生孔が円形であることを特徴とする請求項１記載のイオンフロー記録ヘッド。
【発明の詳細な説明】
【技術分野】
【０００１】
本発明は、静電潜像により書き込みを行うリライタブルペーパーや静電記録装置の書き込み装置として用いられるイオンフロー記録ヘッドに関する。
【背景技術】
【０００２】
放電電極に所定の放電制御電圧（印加しただけでは放電が起こらないが、放電電極を加熱することにより放電が起こる電圧域の電圧）を印加した状態で該放電電極の各被加熱部位への加熱の有無を制御することにより、放電によるイオンの発生制御を行う加熱放電型のイオンフロー記録ヘッドが知られている（例えば、特許文献１、特許文献２参照）。かかる加熱放電型のイオンフロー記録ヘッドは、放電電極に印加する電圧の制御が不要であり、発熱素子による放電電極の加熱制御に使用する５Ｖ駆動のような低耐電圧対応のドライバＩＣでイオンの発生を制御することができるため、低価格化及び小型化し得る利点がある。
【０００３】
また、国際出願番号ＰＣＴ／ＪＰ２００６／３０４５７２には、加熱放電型のイオンフロー記録ヘッドの駆動方法が開示されている。これはイオンフロー記録ヘッドの放電電極と、静電潜像方式の記録媒体の裏面側に形成或いは接触又は近接して配設された対向電極との間に、放電制御電圧に相当する電位差を設定して電界を形成し、発熱素子を備えた加熱手段により放電電極の各被加熱部位を選択的に加熱することで、対向して配置された放電電極と対向電極との間で放電を発生させ、さらに放電電極の放電により生成されるイオンを電界によって記録媒体の記録面（表面）に移動させることで、静電潜像を構成する電荷を付与して画像の形成を行うものにあって、放電電極に放電制御電圧以下の駆動信号電圧を印加するタイミングと、画像情報に基づいて加熱手段で放電電極を選択的に加熱するタイミングとを同期させるようにしたものである。
【特許文献１】特開２００３−３２６７５６号公報
【特許文献２】ＷＯ２００５／０５６２９７号公報
【発明の開示】
【発明が解決しようとする課題】
【０００４】
このような加熱放電型のイオンフロー記録ヘッドにあっては、図８（ａ）に示すように、絶縁層ｃの表面側に、複数の放電電極ａを所定ピッチ幅で並列させ、かつその各放電電極ａの両端に帯状の共通電極ｂ，ｂを連成した梯子状の放電体ｄを備えており、該放電体ｄに放電制御電圧を印加した状態で、絶縁層ｃの裏面側に配設された発熱素子を備えた加熱手段（図示省略）によって任意の放電電極ａを選択的に加熱して放電を発生させることにより、イオンを生成するようにしている。また、このような複数の放電電極ａを所定ピッチ幅で並列させた放電体ｄにあっては、一画素（１ドット）を構成する各放電電極ａのピッチ幅Ｌ１を１２５μｍ（解像度２００ｄｐｉ）とした場合、各放電電極ａの横幅Ｌ２が８５μｍに設定されている。
【０００５】
ところで、放電は電極の尖った部分で発生し易いことが知られている。従って、上記のような梯子状の放電体ｄにあっては、各放電電極ａでの放電に際して、図８（ｂ）に示すように、該放電電極ａの表面側の角部ｆ，ｆで放電が発生し、この放電に伴って放電電極ａの角部ｆ，ｆにおいて特に強い電離が生じ、該二箇所の角部ｆ，ｆ付近で多量のイオンが生成される。即ち、放電電極ａの横幅に対応する間隔で相互に離れた両側縁の二箇所の角部ｆ，ｆ付近で個々にイオンが生成される。そして、この相互に離れた二箇所の角部ｆ，ｆ付近で生成されたイオンが電界によって記録媒体の記録面に移動することにより、放電電極ａの横幅Ｌ２が８５μｍである場合、前記記録面に印字される画像を構成する個々のドットｈの幅が２００μｍと大きくなり、かつ該ドットｈの形状が真円にならないため、印字画像の縁部がシャープに表示できないという問題点があった。
【０００６】
尚、このように、記録面に印字される画像を構成する個々のドットｈの幅が大きくなる原因としては、所定ピッチ幅で並列された複数の放電電極ａでは、各放電電極ａと、記録媒体側に配設された対向電極との間に形成される電界の力線が、図８（ｂ）に矢印ｅで示すように、放電電極ａの角部ｆ，ｆから横幅方向に広がるように形成され、イオンがこの力線に沿って移動して拡散するためと推測される。
【０００７】
また、本発明の発明者らは、複数の放電電極ａを並列させた梯子状の放電体ｄに代えて、各放電電極ａを一連に連成した単一の放電電極、所謂ベタ電極を備えたイオンフロー記録ヘッドを作成して印字実験を行ったところ、印字画像を構成する個々のドットの形状は略真円となるが、個々のドット径が２５０〜３００μｍと大きく、さらに、加熱手段に、梯子状の放電体ｄの場合の３〜４倍程度の印加エネルギーを付与しないと放電が発生せず、過大な印加エネルギーを必要とするという知見を得た。
【０００８】
本発明は、かかる研究成果に基づいてなされたものであり、単一の放電電極を用いるものにあって、孔の周囲のエリアでイオンを生成させることによって、印字画像を構成する個々のドットを小さく、かつ略真円状にし、加熱手段に対する低い印加エネルギーで、鮮明な画像の印字が可能な加熱放電型のイオンフロー記録ヘッドを提供することを目的とするものである。
【課題を解決するための手段】
【０００９】
本発明は、絶縁層の表面側に配設された放電電極と、前記絶縁層の裏面側に配設された発熱素子とを備え、前記放電電極への放電制御電圧の印加と発熱素子による加熱とにより生ずる前記放電電極の放電の有無を、前記発熱素子による前記放電電極の各被加熱部位に対する選択的加熱により制御する加熱放電型のイオンフロー記録ヘッドにおいて、前記放電電極の各被加熱部位に、該放電電極の表面側に角部を備えた幅１０〜１２０μｍのイオン発生孔が夫々形成されていることを特徴とするイオンフロー記録ヘッドである。
【００１０】
ここで、イオン発生孔は、放電電極の表裏を貫通する貫通孔として、或いは放電電極の表面を窪ませた非貫通孔として形成され、これによって放電電極の表面側に角部を備えたものとすることができる。また、イオン発生孔の形状は、円形以外に正三角形，正方形，正六角形等の正多角形とすることができる。また、イオン発生孔の幅が１０μｍ未満であると、記録媒体の記録面に印字される画像を構成する個々のドットが小さくなり過ぎて鮮明な画像が得られなくなるので好ましくなく、逆にイオン発生孔の幅が１２０μｍを超えると、従来と同様にドットが大きくなり過ぎて鮮明な画像が得られなくなるので好ましくない。
【００１１】
上記イオンフロー記録ヘッドにあって、イオン発生孔を円形にする構成が提案される。
【発明の効果】
【００１２】
本発明は、上述したように、放電電極の各被加熱部位に、該放電電極の表面側に角部を備えた幅１０〜１２０μｍのイオン発生孔が夫々形成されていることにより、被加熱部位が加熱されると、イオン発生孔を囲繞する孔縁の角部で放電が発生し、この放電で生じる電離によって、イオン発生孔の周囲のエリアでイオンが生成される。そして、このイオン発生孔の周囲のエリアで生成されたイオンが電界によって記録媒体の記録面に移動するので、記録媒体の記録面に印字される画像を構成する個々のドットが小さくなり、かつ該ドットが略真円状となるので、印字画像の縁部がシャープになり、鮮明な画像の印字が可能となる。また、角部は放電が発生し易いため、ベタ電極で放電する場合に比して、加熱手段に対する印加エネルギーが少なくても放電が可能となり、印加エネルギーを節減することができる。
【００１３】
また、上記イオン発生孔を円形にする構成にあっては、イオン発生孔を正三角形，正方形，正六角形等の正多角形とする場合に比して、その形成が容易となる。また、イオン発生孔の孔縁が平面視において円形となり、この円形の孔縁でイオンが生成されるので、印字画像を構成する個々のドットをより真円状にし易くすることができる。
【発明を実施するための最良の形態】
【００１４】
先ず、本発明が適用可能な加熱放電型のイオンフロー記録ヘッドの構成について説明する。
イオンフロー記録ヘッド１は、図１（ａ），（ｂ）に示すように、下方に向けて突出する略Ｕ字形の突出端３が形成されたアルミニウム製の放熱板２と、該放熱板２の突出端３を被覆するように配設されたフレキシブルなヘッド基板４とを備えている。該ヘッド基板４は、略Ｕ字形に屈曲されて突出端３に被着されており、その屈曲部表面に放電体５を構成する単一の放電電極５ａが配設されている。
【００１５】
前記放電体５は、図１（ｂ）に示すように、広幅の矩形状に形成され、突出端３の下端に位置する部位が放電電極５ａとなっており、該放電電極５ａの両端部が共通電極５ｂ，５ｂ（図２参照）となっている。尚、後述するように、放電電極５ａに設けられる複数の被加熱部位１６（図５参照）からは、所定条件下でそれぞれイオンが照射されることとなる。
【００１６】
また、ヘッド基板４の上方には、ＩＣカバー９が装着され、該ＩＣカバー９と放熱板２との間に、薄板状のプリント基板８が介装されている。かかる構成により、プリント基板８がＩＣカバー９によって保護されている。また、このプリント基板８の上端部には、外部の制御部（図示省略）に接続されるコネクタ８ａが、放熱板２の直上に位置するようにして取り付けられている。
【００１７】
また、ＩＣカバー９の表面には、放電体５の共通電極５ｂ，５ｂに対して電気的に接続された高圧基板９ａが配設されている。この高圧基板９ａは、共通電極５ｂ，５ｂ（放電体５）に駆動信号を発信して、放電電極５ａに高電圧の放電制御電圧を印加するものである。
【００１８】
一方、ヘッド基板４上には、ＩＣカバー９内に、ドライバＩＣ６が実装されている。このドライバＩＣ６は、後述する発熱素子１４の発熱を制御するものであり、該ドライバＩＣ６と前記ヘッド基板４とによって放電制御装置７が構成されている。
【００１９】
次に、図２，図３に基づいて、ヘッド基板４の構成について説明する。
ヘッド基板４は、薄板状のフレキシブル基板１０を具備している。このフレキシブル基板１０は、耐熱性及び絶縁性を有するポリイミド，アラミド，ポリエーテルイミド等の薄膜樹脂で形成されている。
【００２０】
前記フレキシブル基板１０の上面には、一定間隔で並列して櫛歯状を呈する複数の狭幅の発熱用櫛歯電極１１ａと、各発熱用櫛歯電極１１ａの基端に接続されたコ字形で広幅の発熱用共通電極１１ｂとを備えた発熱用電極１１が配設されており、さらに、各発熱用櫛歯電極１１ａの間には、細帯状の発熱用個別電極１２が各発熱用櫛歯電極１１ａと平行でかつ互い違い状となるようにして配設されている。尚、隣接する各発熱用櫛歯電極１１ａ間のピッチ幅が、一画素（１ドット）を構成する領域となっている。この発熱用櫛歯電極１１ａ、発熱用共通電極１１ｂ、及び発熱用個別電極１２は、平面状に形成されたフレキシブル基板１０の表面に金ペースト等の導体を印刷した後、エッチングにより形成され得る。
【００２１】
前記発熱用櫛歯電極１１ａ及び発熱用個別電極１２上には、該発熱用櫛歯電極１１ａ及び発熱用個別電極１２と電気的に接続された帯状の発熱素子１４が配設されている。そして、該発熱素子１４と、前記発熱用櫛歯電極１１ａ及び発熱用個別電極１２とにより加熱手段１３が構成されている。発熱素子１４は、発熱用櫛歯電極１１ａ及び発熱用個別電極１２の上部にＴａＳｉＯ２、ＲｕＯ２等を印刷する等して形成され得る。
【００２２】
また、フレキシブル基板１０上には、前記発熱用共通電極１１ｂ及び発熱用個別電極１２の端部を除いて絶縁層１５が覆設されている。該絶縁層１５は、耐熱性及び絶縁性を有するポリイミド，アラミド，ポリエーテルイミド等の薄膜樹脂を印刷する等して形成され得る。
【００２３】
前記絶縁層１５上には、放電体５が配設されている。従って、放電体５は、絶縁層１５により加熱手段１３と絶縁されることとなる。放電体５を構成する放電電極５ａは、図２，図３（ｂ）に示すように、前記各発熱用個別電極１２と上下方向で夫々一致する位置が被加熱部位１６となっており、各被加熱部位１６には微小なイオン発生孔１７が夫々形成されている。このイオン発生孔１７は本発明の要部にかかるものであり、詳しくは後述する。このイオン発生孔１７を備えた放電電極５ａ及び共通電極５ｂ，５ｂは、金，銀，銅，アルミニウム等の金属を、蒸着，スパッタ，印刷，又はメッキで形成した後、エッチングにより形成され得る。
【００２４】
発熱素子１４は、ドライバＩＣ６がストローブ信号を発信して発熱用櫛歯電極１１ａと発熱用個別電極１２とに対してストローブ電圧を印加することにより発熱する。即ち、交互に配設された発熱用櫛歯電極１１ａ及び発熱用個別電極１２にあって、一本の発熱用個別電極１２とその両側の発熱用櫛歯電極１１ａ，１１ａとの間にストローブ電圧を印加することにより、放電電極５ａの各被加熱部位１６に対応する発熱素子１４の任意の部位を発熱させて、任意の被加熱部位１６を加熱する。尚、このストローブ電圧が、加熱手段１３に対する印加エネルギーとなる。また、加熱手段１３は、このような方式に限定されるものではなく、夫々の被加熱部位１６を選択的に加熱できるものであればよい。また、前記ドライバＩＣ６は、発熱用共通電極１１ｂ及び発熱用個別電極１２から伸びるリードパターンに金線でワイヤボンディングされた後に、エポキシ樹脂等のＩＣ保護用の樹脂で封止されている。
【００２５】
共通電極５ｂ，５ｂの表面には、図２に示すように、導電材層１８が帯状に形成されている。この導電材層１８は、導電性に優れた銀ペーストや銀メッキ等で形成されている。かかる構成とすることにより、共通電極５ｂ，５ｂの抵抗値を低下させることができ、放電電極５ａに生じる電位差を均一化することができる。
【００２６】
次に、上記イオンフロー記録ヘッド１の作動態様を、図４に基づいて説明する。
図４は、電荷の作用により繰返し画像の印字や消去が可能な静電潜像方式のリライタブルペーパーからなる記録媒体２０の上面側に所定間隔を置いてイオンフロー記録ヘッド１を配置し、かつ記録媒体２０の裏面に対向電極２１を形成或いは接触又は近接させて配設した状態を示す。
【００２７】
このような状態において、先ず、イオンフロー記録ヘッド１の放電体５と対向電極２１との間に放電制御電圧Ｅ０に相当する電位差を設定して電界を形成する。ここで、放電制御電圧とは、放電体５に対して印加しただけでは放電の発生はないが、放電体５が加熱されることにより放電が発生する電圧域の電圧をいう。この放電制御電圧は、交流電圧に直流電圧を重畳して生成されるが、交流電圧に負の直流電圧を重畳して放電体５に印加することにより、放電電極５ａの加熱時にマイナスイオンを発生させることができる。
【００２８】
次に、前記放電制御電圧Ｅ０が印加された状態で、加熱手段１３をドライバＩＣ６で制御する。即ち、任意の発熱用個別電極１２とその両側の発熱用櫛歯電極１１ａ，１１ａとにストローブ電圧を印加し、放電電極５ａの各被加熱部位１６に対応する発熱素子１４の任意の部位を発熱させて、放電電極５ａの任意の被加熱部位１６を選択的に所定温度（200〜300℃）に加熱することにより、放電電極５ａの任意の被加熱部位１６と対向電極２１との間で放電を発生させる。そして、この放電により生じる電離によって生成されるイオンを、放電体５と対向電極２１との間に形成された電界によって記録媒体２０の記録面（表面）に移動させ、該記録媒体２０に画像データに基づく所定パターンの電荷を付与する。これにより記録媒体２０の記録面（表面）に所定パターンの静電潜像が形成され、画像の印字が行われる。尚、イオンフロー記録ヘッド１による画像の印字にかかる詳しい制御内容については本発明の要部ではないので、その説明を省略する。
【００２９】
次に、本発明の要部について説明する。
上述したように、絶縁層１５（図３参照）上に配設された放電体５を構成する単一の放電電極５ａの各被加熱部位１６には、微小なイオン発生孔１７が夫々形成されており、本発明は、このイオン発生孔１７を、図５（ａ），（ｂ）に示すように、放電電極５ａの表面側に角部１８を備えた所定形状で幅１０〜１２０μｍ、さらに好ましくは幅３０〜８０μｍで形成するものである。ここで、各イオン発生孔１７は、図５（ａ）に示すように、円形に形成されており、この場合にはイオン発生孔１７の幅が直径を示すものとなる。尚、該イオン発生孔１７は、円形以外に正三角形，正方形，正六角形等の正多角形とすることも可能であるが、特にイオン発生孔１７を円形とした場合には、その形成を容易に行い得るとともに、イオン発生孔１７の孔縁の角部１８が平面視において円形となり、この円形の角部１８で生成されるイオンを円形の状態で記録媒体２０の記録面に移動させ得るので、印字画像を構成する個々のドットをより真円状にし得る利点がある。また、各イオン発生孔１７は、図５（ｂ）に示すように、放電電極５ａの表裏を貫通する貫通孔として形成されており、これによって放電電極５ａの表面側に角部１８を備えたものとなっている。尚、各イオン発生孔１７は、図５（ｃ）に示すように、放電電極５ａの表面を窪ませた非貫通孔として形成することも可能であり、この場合にも放電電極５ａの表面側に角部１８を備えたものとなる。
【００３０】
かかる構成にあって、上述したように、イオンフロー記録ヘッド１の放電体５と対向電極２１（図４参照）との間に放電制御電圧Ｅ０に相当する電位差を設定して電界を形成した状態で、加熱手段１３によって任意の被加熱部位１６を加熱することにより、図６に示すように、該被加熱部位１６に形成されたイオン発生孔１７を囲繞する孔縁の角部１８で放電が発生し、この放電で生じる電離によって、イオン発生孔１７の周囲のエリアでイオンが生成される。そして、イオン発生孔１７の周囲のエリアで生成されたイオンが電界によって記録媒体２０の記録面に移動して、小さなドットｊで記録媒体２０の記録面に画像が印字される。また、該ドットｊが略真円状となる。
【００３１】
ここで、記録媒体２０の記録面に印字される画像を構成する個々のドットｊが小さくなる原因としては、放電体５と対向電極２１（図４参照）との間に形成される電界の力線が、図６に矢印ｇで示すように、イオン発生孔１７を囲繞する孔縁の角部１８からイオン発生孔１７の中央側に偏倚するように形成され、イオンがこの力線に沿って移動することにより、記録媒体２０の記録面に到達した時点で拡散し難いためと推測される。
【００３２】
また、前記イオン発生孔１７を円形に形成することにより、イオン発生孔１７の孔縁の角部１８が平面視において円形となり、この円形の角部１８で生成されるイオンを円形の状態で記録媒体２０の記録面に移動させ得るので、印字画像を構成する個々のドットをより真円状に近づけることができる。
【００３３】
［実験例］
一画素（１ドット）のピッチ幅を１２５μｍ（解像度２００ｄｐｉ）とし、被加熱部位１６に、直径１０μｍ，３０μｍ，６０μｍ，８０μｍの円形のイオン発生孔１７を夫々形成した四種類の加熱放電型のイオンフロー記録ヘッド１を試作して印字実験を行った。また、比較のため、被加熱部位１６にイオン発生孔１７が形成されていない単一の放電電極、所謂ベタ電極を備えたイオンフロー記録ヘッドを用いての印字実験も行った。この印字実験は、イオン発生孔１７を備えたイオンフロー記録ヘッド１の場合、加熱手段１３の発熱用個別電極１２と発熱用櫛歯電極１１ａとに２４Ｖのストローブ電圧を印加し、ベタ電極を備えたものには２６Ｖのストローブ電圧を印加して、放電電極に放電制御電圧を印加した状態で放電を発生させ、記録媒体２０の記録面に画像を印字する方法で行い、印字された画像を構成する個々のドットの大きさを測定した。その結果を図７（ａ）に示す。ここで、イオン発生孔１７が直径１０μｍのものでは印字画像のドット径が１４μｍであり、また、直径３０μｍのものではドット径が３９μｍであり、直径６０μｍのものではドット径が８０μｍであり、直径８０μｍのものではドット径が１１０μｍであった。また、何れの場合もドットの形状は真円形であった。一方、ベタ電極では、ドットの形状は真円形であるが、ドット径が２５０〜３００μｍと大きく、各ドット間で大きさのバラ付きが認められた。また、従来の横幅８５μｍの放電電極ａを並列させた梯子状の放電体ｄ（図８（ａ）参照）による印字では、上述したようにドット幅が２００μｍであることから、イオン発生孔１７を備えたイオンフロー記録ヘッド１にあっては、印字画像のドット径が小さくなることが解る。
【００３４】
また、ベタ電極を備えたイオンフロー記録ヘッドでは、加熱手段１３に対してストローブ電圧を３〜４回印加しないと放電が発生せず、印字に過大な印加エネルギーを必要とするのに対して、イオン発生孔１７を備えたイオンフロー記録ヘッド１にあっては、一回のストローブ電圧の印加で放電が発生することが認められた。このことから、ベタ電極を備えたイオンフロー記録ヘッドに比して、イオン発生孔１７を備えたイオンフロー記録ヘッド１では、消費する印字エネルギーが少ないことが解る。
【００３５】
また、図７（ｂ）は、上記実験結果に基づいて作成したイオン発生孔１７の直径と、印字されたドットの大きさとの関係を示すグラフである。このグラフから明らかなように、印字されたドットの大きさは、イオン発生孔１７の直径に正比例することが解る。
【００３６】
尚、このグラフから解るように、イオン発生孔１７の直径が１０μｍ未満であると、記録媒体２０の記録面に印字される画像を構成する個々のドットが小さくなり過ぎて鮮明な画像が得られなくなるので好ましくなく、逆にイオン発生孔１７の直径が１２０μｍを超えると、ドットが１６０μｍを超え、梯子状の放電体ｄ（図８（ａ）参照）による印字での２００μｍに次第に近づき、従来と同様にドットが大きくなり過ぎて鮮明な画像が得られなくなるので好ましくない。
【００３７】
このように、本発明にあっては、放電電極５ａの各被加熱部位１６に、該放電電極５ａの表面側に角部１８を備えた幅１０〜１２０μｍのイオン発生孔１７が夫々形成されていることにより、被加熱部位１６が加熱されると、イオン発生孔１７を囲繞する孔縁の角部１８で放電が発生し、この放電で生じる電離によって、イオン発生孔１７の周囲のエリアでイオンが生成される。そして、このイオン発生孔１７の周囲のエリアで生成されたイオンが電界によって記録媒体２０の記録面に移動するので、記録媒体２０の記録面に印字される画像を構成する個々のドットが小さくなり、かつ該ドットが略真円状となるので、印字画像の縁部がシャープになり、鮮明な画像の印字が可能となる。また、角部１８は放電が発生し易いため、ベタ電極で放電する場合に比して、加熱手段１３に対する印加電圧が低くても放電が可能となり、印加エネルギーを節減することができる。
【００３８】
また、上記イオン発生孔１７を円形にした場合には、イオン発生孔１７を正三角形，正方形，正六角形等の正多角形とする場合に比して、その形成が容易であり、また、イオン発生孔１７の孔縁の角部１８が平面視において円形となるため、印字画像を構成する個々のドットをより真円状にし易くすることができる。
【図面の簡単な説明】
【００３９】
【図１】（ａ）はイオンフロー記録ヘッド１の模式側面図、（ｂ）はイオンフロー記録ヘッド１の模式外観斜視図である。
【図２】ヘッド基板４の平面図である。
【図３】（ａ）は図２のＡ−Ａ線断面図、（ｂ）は図２のＢ−Ｂ線断面図である。
【図４】イオンフロー記録ヘッド１による画像印字方法を示す模式側面図である。
【図５】（ａ）は放電電極５ａの各被加熱部位１６に形成されたイオン発生孔１７を示す部分拡大平面図、（ｂ）は該イオン発生孔１７部分の拡大断面図、（ｃ）は他の形態のイオン発生孔１７部分の拡大断面図である。
【図６】イオン発生孔１７の周囲のエリアで生成されたイオンの移動方向を示す説明図である。
【図７】（ａ）は印字実験の結果を示す図表、（ｂ）は実験結果に基づいて作成したイオン発生孔１７の直径と、印字されたドットの大きさとの関係を示すグラフである。
【図８】（ａ）は複数の放電電極ａを所定ピッチ幅で並列させた従来の梯子状の放電体ｄを示す平面図、（ｂ）は放電電極ａの角部ｆ，ｆにおけるイオンの生成状態を示す説明図である。
【符号の説明】
【００４０】
１  イオンフロー記録ヘッド
５ａ  放電電極
１４  発熱素子
１５  絶縁層
１６  被加熱部位
１７  イオン発生孔
１８  角部
【図１】
2009119670.tif 000003
【図２】
2009119670.tif 000004
【図３】
2009119670.tif 000005
【図４】
2009119670.tif 000006
【図５】
2009119670.tif 000007
【図６】
2009119670.tif 000008
【図７】
2009119670.tif 000009
【図８】
2009119670.tif 000010